(57)【特許請求の範囲】
【請求項１】
ロール状ペーパーの両端面を覆うコの字型のホルダー本体と、前記ロール状ペーパーの芯部分を両端から応動して前記ロール状ペーパーを支持する支持部を有し、交換用ロール状ペーパーを定置する定置部と前記支持部から係脱された使用済ロール状ペーパーの芯を一時的に保持する保持部を一体構成とする可動体が上下に摺動自在に前記ホルダー本体に付設され、
操作者が前記可動体を上方に操作することで、前記定置部に定置された前記交換用ロール状ペーパーが前記支持部に支持された前記使用済ロール状ペーパーの芯を押し上げ、前記交換用ロール状ペーパーが前記支持部に支持されると共に、前記支持部から係脱された前記使用済ロール状ペーパーの芯が自重で移動する位置に前記保持部を構成し、
操作者が前記可動体を下方に操作することで、前記使用済ロール状ペーパーの芯が自重により前記保持部から前記定置部へ移動する構成とすることで、
前記支持部に支持されている前記使用済ロール状ペーパーの芯と前記定置部に定置されている前記交換用ロール状ペーパーに手を触れることなしに入替える形状を備えることを特徴とするロール状ペーパー用ホルダー。
【請求項２】
前記可動体を操作する際に、前記ホルダー本体上部に係止されたペーパーカッターの回転軸部分を前記ホルダー本体から係脱して移動することで、前記交換用ロール状ペーパーが前記使用済ロール状ペーパーの芯を押し上げ、前記使用済ロール状ペーパーの芯が前記支持部から係脱された時に、前記ホルダー本体正面側の前記ペーパーカッターと前記交換用ロール状ペーパーの間に前記使用済ロール状ペーパーの芯が通過できる隙間が生じず、前記使用済ロール状ペーパーの芯が前記ホルダー本体の正面側へ移動することが制限されるため、前記使用済ロール状ペーパーの芯を、前記保持部へ誘導する形状を備えることを特徴とする請求項１のロール状ペーパー用ホルダー。
【請求項３】
前記ペーパーカッターの回転軸部分を前記ホルダー本体から係脱して移動した後に、前記ペーパーカッターの回転方向の動きを制限することで、前記ペーパーカッターをロール状ペーパーの上に定置するペーパーカッターストッパーを備えることを特徴とする請求項１のロール状ペーパー用ホルダー。
【発明の詳細な説明】
【技術分野】
【０００１】  本発明は、使い終わったロール状ペーパーを容易に交換するロール状ペーパー用ホルダーに関する。
【背景技術】
【０００２】  従来トイレットペーパーの場合、円筒状の芯に帯状のペーパーをロール状に巻き付けたものが一般的であり、それを支持するために芯内部に通した軸をホルダーに固定し、前記ホルダーをトイレの壁等に取り付けて使用する。しかしこの形状の従来型トイレットペーパーホルダーでは、使い終わったトイレットペーパーを交換するのに手間がかかることがあった。【０００３】そこで、コの字型ホルダーにおいてトイレットペーパーを保持する軸を片持ちにして固定した本体片側を回転させることで、交換を容易にできる様にした（特許文献１）、コの字型ホルダーにおいてペーパーの円筒状の芯の両端部のみを支持する軸を構成し、軸の下側からロール状ペーパーを手で持ち上げてバネ構造を有する軸が芯の内側に達したところで定常状態に戻ることでロール状ペーパーを支持する（特許文献２）、コの字型ホルダーにおいてペーパーの円筒状の芯の両端部のみを支持する軸を構成し、その上に交換用ロール状ペーパーを格納する場所を設け、レバー操作で交換用ロール状ペーパーが下降し、この軸で支持する（特許文献３）が開示されている。
【先行技術文献】
【特許文献】
【０００４】
【特許文献１】特許第６４８８４４４号公報
【特許文献２】特開２００２−１１２９２１号公報
【特許文献３】特開平０１−１２９８１６号公報
【発明の概要】
【発明が解決しようとする課題】
【０００５】しかし特許文献１は、従来のトイレットペーパーホルダーに比較して容易にトイレットペーパーを交換できる様になるものの、ロール状ペーパーの上面に位置するカバー兼カッターを持ち上げた上で、ホルダー本体片側を回転させなければならないため、両手による操作が必要でありトイレ使用中のトイレットペーパーの交換は体勢的に難しい。
また特許文献２は、片手で容易にロール状ペーパーを交換することができるものの、手で直接ロール状ペーパーを持たなければならないため、トイレットペーパーの場合、トイレ使用中の交換はトイレットペーパー及び、トイレットペーパーの収納ケース等に触ることになるため衛生的ではない。
また特許文献３は、片手の操作でロール状ペーパーに触れることなく交換することができるものの、構造が複雑であり部品点数が少なくない。
本発明は、比較的簡単な構造でロール状ペーパーに一切手で触れることなしに、片手だけの簡単な操作で前記ロール状ペーパーを交換できる様にした点で異なる。
これにより特許文献１、２に対し、トイレットペーパーの場合であればトイレ使用中のトイレットペーパーの交換でも体勢的に無理がなく、衛生的にも優れる。これにより高齢者や幼児でも容易にトイレットペーパーの交換が行える。台所用ペーパーの場合においても、片手しか使えない状況でロール状ペーパーを交換できる効果がある。
これにより特許文献３に対し、ロール状ペーパーに触れることなしに、片手だけの簡単な操作で交換できるロール状ペーパー用ホルダーを、比較的簡単な構造で実現する。【０００６】  本発明が解決しようとする課題は、モータ等の電源や特に複雑な構成が必要でなく、比較的簡単な構造で、衛生的でかつ、簡単な操作でロール状ペーパーに手を触れることなしに交換できるロール状ペーパー用ホルダーを提供することである。
【課題を解決するための手段】
【０００７】  請求項１の本発明のロール状ペーパー用ホルダーは、ロール状ペーパーの両端面を覆うコの字型のホルダー本体と、前記ロール状ペーパーの芯部分を両端から応動して前記ロール状ペーパーを支持する支持部を有し、交換用ロール状ペーパーを定置する定置部と前記支持部から係脱された使用済ロール状ペーパーの芯を一時的に保持する保持部を一体構成とする可動体が上下に摺動自在に前記ホルダー本体に付設され、操作者が前記可動体を上方に操作することで、前記定置部に定置された前記交換用ロール状ペーパーが前記支持部に支持された前記使用済ロール状ペーパーの芯を押し上げ、前記交換用ロール状ペーパーが前記支持部に支持されると共に、前記支持部から係脱された前記使用済ロール状ペーパーの芯が自重で移動する位置に前記保持部を構成し、操作者が前記可動体を下方に操作することで、前記使用済ロール状ペーパーの芯が自重により前記保持部から前記定置部へ移動する構成とすることで、前記支持部に支持されている前記使用済ロール状ペーパーの芯と前記定置部に定置されている前記交換用ロール状ペーパーに手を触れることなしに入替える形状を備えることを特徴とする。【０００８】  請求項２の本発明のロール状ペーパー用ホルダーは、請求項１において、前記可動体を操作する際に、前記ホルダー本体上部に係止されたペーパーカッターの回転軸部分を前記ホルダー本体から係脱して移動することで、前記交換用ロール状ペーパーが前記使用済ロール状ペーパーの芯を押し上げ、前記使用済ロール状ペーパーの芯が前記支持部から係脱された時に、前記ホルダー本体正面側の前記ペーパーカッターと前記交換用ロール状ペーパーの間に前記使用済ロール状ペーパーの芯が通過できる隙間が生じず、前記使用済ロール状ペーパーの芯が前記ホルダー本体の正面側へ移動することが制限されるため、前記使用済ロール状ペーパーの芯を、前記保持部へ誘導する形状を備えることを特徴とする。【０００９】  請求項３の本発明のロール状ペーパー用ホルダーは、請求項１において、前記ペーパーカッターの回転軸部分を前記ホルダー本体から係脱して移動した後に、前記ペーパーカッターの回転方向の動きを制限することで、前記ペーパーカッターをロール状ペーパーの上に定置するペーパーカッターストッパーを備えることを特徴とする。
【発明の効果】
【００１０】  請求項１の本発明のロール状ペーパー用ホルダーによれば、一切ロール状ペーパーに手を触れることなしに、片手の簡単な操作でロール状ペーパーを交換することが可能になるので、トイレットペーパーの場合であればトイレ中の交換においても体勢的な無理がなく、トイレットペーパー及び、トイレットペーパー収納ケース等の衛生状態を保つことができる。【００１１】  請求項２の本発明のロール状ペーパー用ホルダーによれば、ペーパーカッターのホルダー本体側回転部分をホルダー本体から分離移動してホルダー本体の背面側にスペースを確保することで、支持部から取り外された使用済みロール状ペーパーの芯が、ホルダー本体の正面側に脱落してしまうことを防ぎ、使用済みロール状ペーパーの芯を保持部へ誘導する。【００１２】  請求項３の本発明のロール状ペーパー用ホルダーによれば、ペーパーカッターの回転部分をホルダー本体から分離移動する過程において、使用済みロール状ペーパーの芯が支持部から取り外されることで回転方向の動きの制限がなくなったペーパーカッターが回転することで、交換され支持部に取り付けられたロール状ペーパーとホルダー本体の間に入ってしまうことを防ぎ、ペーパーカッターの分離移動が終わった後にペーパーカッターをロール状ペーパーの上に定置する。
【図面の簡単な説明】
【００１３】
【図１】本発明の実施例を示すロール状ペーパー用ホルダーの斜視図である。
【図２】本発明の実施例を示すロール状ペーパー用ホルダーのホルダー本体側面図と正面図である。
【図３】本発明の実施例を示すロール状ペーパー用ホルダーの可動式トレイ側面図と正面図である。
【図４】本発明の実施例を示すロール状ペーパー用ホルダーの移動式ペーパーカッター側面図と裏面図である。
【図５】本発明の実施例を示すロール状ペーパー用ホルダーのペーパーカッター支持柱の内部構造図である。
【図６】本発明の実施例を示すロール状ペーパー用ホルダーの操作時における可動式トレイ側面図とロール状ペーパー用ホルダーの正面図である。
【図７】本発明の実施例を示すロール状ペーパー用ホルダーの操作時における可動式トレイ側面図とロール状ペーパー用ホルダーの正面図である。
【図８】本発明の実施例を示すロール状ペーパー用ホルダーの操作時における可動式トレイ側面図とロール状ペーパー用ホルダーの正面図である。
【図９】本発明の実施例を示すロール状ペーパー用ホルダーの操作時における可動式トレイ側面図とロール状ペーパー用ホルダーの正面図である。
【図１０】本発明の実施例を示すロール状ペーパー用ホルダーの操作時における可動式トレイ側面図とロール状ペーパー用ホルダーの正面図である。
【図１１】本発明の実施例を示すロール状ペーパー用ホルダーの操作時における可動式トレイ側面図とロール状ペーパー用ホルダーの正面図である。
【発明を実施するための形態】
【実施例】
【００１４】  本発明のトイレットペーパー用の場合の実施例を図面を基に説明する。図１に示す本発明の実施例のロール状ペーパー用ホルダーは、壁等に設置するホルダー本体１０に、可動式トレイ２０と移動式ペーパーカッター３０を備える。図１は、ロール状ペーパー用ホルダーに未使用のトイレットペーパー１６と交換用のトイレットペーパー２６を取り付けた状態を示す。【００１５】  ＜ホルダー本体１０＞
図２に示す様に、ホルダー本体１０は、下方からトイレットペーパーを挿入することで変位し、芯の内側に達するとバネ力によって定常状態に戻り、トイレットペーパーを支持する支持部１１と、ペーパーカッター支持柱ガイド１２、可動式トレイ２０を可動するための可動式トレイガイド１３の上下に上部トレイストッパー１５と下部トレイストッパー１４を、コの字型ホルダーの両側部に備える。【００１６】  ＜可動式トレイ２０＞
図３に示す様に、可動式トレイ２０は、操作部２１と定置部２２、保持部２３を有する。操作部２１は、操作者が本発明のロール状ペーパー用ホルダーを手で操作するための持ち手である。定置部２２は、未使用の交換用のトイレットペーパー２６を定置するところであり、保持部２３は、使用済みの芯１７が交換される際に、定置部２２へ移動する前に通過する通路の役目をする。【００１７】  トレイ移動量調整部２４は、下部トレイストッパー１４、上部トレイストッパー１５によって、可動式トレイ２０の可動範囲を決める。
後述する＜可動式トレイ２０と移動式ペーパーカッター３０の動き＞を成立させるために、トレイ移動量調整部２４とペーパーカッターフック２５の、形状と設置位置を調整する必要がある。【００１８】  ペーパーガイド２７の形状は、交換用のトイレットペーパー２６を定置部２２の所定の位置に、安定的に定置するための例を示したが、交換用のトイレットペーパー２６を定置部２２に定置できるのであれば他の形状でもよいし、定置部２２の形状によってトイレットペーパー２６を定置できるのであればペーパーガイド２７は必要ない。【００１９】  ＜移動式ペーパーカッター３０＞
図４に示す様に、移動式ペーパーカッター３０は、第１の端部にペーパーを切るためのカッター部３１と第２の端部にペーパーカッター回転部３２を有し、ペーパーカッター回転部３２にペーパーカッター支持柱３４が回転できる構成で係止され、ペーパーカッター回転部３２の近くに移動式ペーパーカッター３０の回転方向の動きを制限するためのペーパーカッターストッパー３３が係止される。【００２０】  図５に示すペーパーカッター支持柱３４は、内部にスプリング３５を有する。スプリング３５は、第１の端部をペーパーカッター支持柱３４内部のペーパーカッター回転部３２側に係止し、第２の端部をペーパーカッター支持柱ガイド１２の下側へ係止することで、ペーパーカッター回転部３２が押し上げられている時に移動式ペーパーカッター３０に対する下方向への引き寄せ力となり、安定させる。スプリング３５による移動式ペーパーカッター３０への下方向の引き寄せ力を加える例を示したが、移動式ペーパーカッター３０に下方向の引き寄せ力を加えられるものであればよい。【００２１】  ＜可動式トレイ２０と移動式ペーパーカッター３０の動き＞
図６は、支持部１１に未使用のトイレットペーパー１６、定置部２２に交換用のトイレットペーパー２６を定置した状態を示す。
図７は、図６において支持部１１に取り付けられていた未使用のトイレットペーパー１６が使用され、使用済みの芯１７になった状態を示す。【００２２】  図８は、操作者が操作部２１を上方向へ操作することで、定置部２２に定置された交換用のトイレットペーパー２６が使用済みの芯１７に触れた状態を示す。この時ペーパーカッターフック２５がペーパーカッター回転部３２に係合する。これにより図１０において交換用のトイレットペーパー２６が支持部１１に支持されるまでの間、交換用のトイレットペーパー２６と移動式ペーパーカッター３０の位置関係が保持される。【００２３】  図９は、操作者が操作部２１を更に上方向へ操作することで、定置部２２に定置された交換用のトイレットペーパー２６が使用済みの芯１７を押し上げ、使用済みの芯１７が支持部１１から取り外された状態を示す。この時、使用済みの芯１７は支持されていないが、押し上げられた移動式ペーパーカッター３０によってホルダー本体１０の正面側への移動が制限されるため、交換用のトイレットペーパー２６の表面を介して、保持部２３の中へ誘導される。ペーパーカッターフック２５によってペーパーカッター回転部３２が押し上げられることで、使用済みの芯１７が上昇しても、カッター部３１と交換用のトイレットペーパー２６の間に使用済みの芯１７が通過できる隙間が生じないため、取り外された使用済みの芯１７がホルダー本体１０の正面側へ移動することを制限できる。【００２４】  使用済みの芯１７が支持部１１から取り外された時、制限がなくなった移動式ペーパーカッター３０がホルダー本体１０の背面側に回転すると、後述する図１１において可動式トレイ２０を下方向へ操作し元の位置に戻った時、移動式ペーパーカッター３０が交換用のトイレットペーパー２６とホルダー本体１０の間に入って移動式ペーパーカッター３０が使えなくなってしまう。これを防ぐためにペーパーカッターストッパー３３が移動式ペーパーカッター３０の回転方向の動きを制限する。【００２５】  図１０は、操作者が操作部２１を更に上方向へ操作することで、交換用のトイレットペーパー２６が、支持部１１に支持された状態を示す。この時、トレイ移動量調整部２４が上部トレイストッパー１５に係合することによって、可動式トレイ２０の上方向への移動が制限される。【００２６】  図１１は、操作者が操作部２１を下方向へ操作し、トレイ移動量調整部２４が下部トレイストッパー１４に係合することによって、可動式トレイ２０が最下部で留められ、元の位置に戻った状態を示す。この操作の過程において、交換用のトイレットペーパー２６によって保持部２３に留められていた使用済みの芯１７は、可動式トレイ２０の下降に伴い拘束がなくなるため定置部２２へ移動する。【００２７】＜＜変形例＞＞
本実施例は操作部２１を手で操作することで可動式トレイ２０を上下に可動する例を示したが、可動式トレイ２０を上下に可動できれば他の方式でもよい。
【符号の説明】
【００２８】１０ホルダー本体
１１支持部
１２ペーパーカッター支持柱ガイド
１３可動式トレイガイド
１４下部トレイストッパー
１５上部トレイストッパー
１６未使用のトイレットペーパー
１７使用済みの芯
２０可動式トレイ
２１操作部
２２定置部
２３保持部
２４トレイ移動量調整部
２５ペーパーカッターフック
２６交換用のトイレットペーパー
２７ペーパーガイド
３０移動式ペーパーカッター
３１カッター部
３２ペーパーカッター回転部
３３ペーパーカッターストッパー
３４ペーパーカッター支持柱
３５スプリング
【要約】
【課題】  従来トイレットペーパーの場合、トイレットペーパーの交換は両手による操作が必要であり、トイレ使用中であれば体勢的に難しく、トイレットペーパーの収納ケース等に触ることになるため衛生的ではない。本発明はこの欠点に対し、比較的簡単な構造で、片手の簡単な操作でトイレットペーパーに一切触れることなく交換できる、高齢者や幼児にも優しく衛生的なロール状ペーパー用ホルダーを提供する。
【解決手段】  コの字型のホルダー本体１０と、ホルダー本体１０が支持するトイレットペーパーを両端から変位して支持する支持部１１を構成し、交換用のトイレットペーパー２６を定置する定置部２２と使用済みの芯１７を一時的に保持する保持部２３を一体構成の可動式にして、これを手で上下に操作することで、支持部１１に支持されている使用済みの芯１７と交換用のトイレットペーパー２６を入れ替える。
【選択図】図７【図１】
0006818267.tif 000002
【図２】
0006818267.tif 000003
【図３】
0006818267.tif 000004
【図４】
0006818267.tif 000005
【図５】
0006818267.tif 000006
【図６】
0006818267.tif 000007
【図７】
0006818267.tif 000008
【図８】
0006818267.tif 000009
【図９】
0006818267.tif 000010
【図１０】
0006818267.tif 000011
【図１１】
0006818267.tif 000012